(57)【要約】【課題】  スポーツ大会などのイベント開催期間終了後にも高い広告宣伝効果やイメージアップ効果の維持を可能にする広告宣伝媒体としてのノートを提供する。【解決手段】本考案のノート１は、イベント開催を記念して発売又は配布される、所定枚数の記録紙の束３を表裏から挟むように配置される表紙２及び裏表紙４から構成され、表紙２又は裏表紙４の表面の一部又は全面に広告宣伝が直接的に又は間接的に表示される区画５を設けたことを特徴とする。区画５には、イベントのスポンサー又はサポーターの広告宣伝を表示することができる。区画５を前記表面の一部に設ける場合、当該面の任意の位置に設けることができる。区画５への直接的な表示方法及び間接的な表示方法については特に制限されず、前者の例として印刷による方法が、後者の例として広告宣伝を印刷したシールの貼布よる方法が挙げられる。【選択図】  図１
0003188455.tif 000002
【実用新案登録請求の範囲】
【請求項１】
イベント開催を記念して発売又は配布され、所定枚数の記録紙の束を表裏から挟むように配置される表紙及び裏表紙からなるノートであって、前記表紙又は裏表紙の表面の一部又は全面に広告宣伝が直接的に又は間接的に表示される区画を設けたことを特徴とするノート。
【請求項２】
前記区画への表示は、前記イベントのスポンサー又はサポーターの広告宣伝である請求項１に記載のノート。
【請求項３】
前記区画は、これが前記表面の一部に設けられる場合、前記表紙又は前記裏表紙の任意の位置に設けられてなる請求項１又は２に記載のノート。
【請求項４】
前記直接的な表示は、前記区画に前記広告宣伝が印刷されたものである請求項１〜３のいずれか１項に記載のノート。
【請求項５】
前記間接的な表示は、前記区画内に前記広告宣伝を印刷したシールを貼布することで行われる請求項１〜３のいずれか１項に記載のノート。
【考案の詳細な説明】
【技術分野】
【０００１】
本考案は、スポーツ大会などのイベント開催の記念に発売又は配布されるノートに関する。
【背景技術】
【０００２】
スポーツ大会などのイベントの企画、開催に先立ち、スポンサー（協賛者）やサポーター（後援者、支持者）を募ることが多い。例えば、スポーツ大会の場合、スポンサーのロゴなどが選手のユニフォーム、帽子、靴など身の回りの品に付され、さらにはスポーツ大会自体とともにテレビなどのメディアや印刷媒体などで紹介される。スポンサーは、このようにメディアで取り上げられることにより広告宣伝が可能になる他、スポーツ振興への貢献を通じたイメージアップ効果が得られるメリットがある。このようなメディアや印刷媒体などによる紹介は、一過性とならざるを得ないため、スポーツ大会開催前から当該大会の開催期間中に高い頻度で行われるのが通常である。
【先行技術文献】
【特許文献】
【０００３】
【特許文献１】実開平２−６４０７４号公報
【考案の概要】
【考案が解決しようとする課題】
【０００４】
しかしながら、スポーツ大会期間終了後はメディアなどで取り上げられる頻度は激減するので、スポーツ大会開催の事実は忘れられてしまう傾向にある。特に、スポーツ大会のスポンサーなどについては、さらに短期間のうちに忘れ去られてしまう傾向が強い。このような傾向にならぬようにスポーツ大会開催期間後も高い広告宣伝効果やイメージアップ効果を維持するためには、スポーツ大会の観戦者や関心を持つ人々などにとって高い価値があり、その後長期間にわたり保存するような広告宣伝媒体が必要である。
【０００５】
そこで、本考案は、スポーツ大会などのイベント開催期間終了後にも高い広告宣伝効果やイメージアップ効果の維持を可能にする広告宣伝媒体としてのノートを提供することを目的とする。
【課題を解決するための手段】
【０００６】
前記課題は、本考案によれば、イベント開催を記念して発売又は配布され、所定枚数の記録紙の束を表裏から挟むように配置される表紙又は裏表紙からなるノートであって、前記表紙又は前記裏表紙の表面の一部又は全面に広告宣伝が直接的に又は間接的に表示される区画を設けたことを特徴とするノートによって達成される。
【０００７】
イベント開催の記念として発売などされるグッズは例えば記念切手など種々あるが、グッズ購入者が単に保管するのではなく、身近なものとして長時間有効に使用し、使用後も保管されるようなグッズであれば、スポンサーなどの高い広告宣伝効果やイメージアップ効果の維持に貢献しやすい。そのようなグッズの１つとして、ノートは非常に効果的であることから、本考案ではこのノートを用いるものである。
【考案の効果】
【０００８】
本考案のノートは、その表紙又は裏表紙の表面に広告宣伝を直接的に又は間接的に表示する区画を設けることとしたので、イベント開催期間終了後においても、ノートの購入者はそれを使用するたびに、また使い終わり保管された後にも見返すなどするたびに、イベント開催の事実とともに、スポンサーなどの広告宣伝を見ることになる。これにより、スポンサーなどの高い広告宣伝効果やイメージアップ効果を長期間にわたり維持することができる。
【図面の簡単な説明】
【０００９】
【図１】本考案のノートの一実施形態を示す斜視図である。
【図２】図１の実施形態における記録紙の一印刷例を示す図である。
【考案を実施するための形態】
【００１０】
以下、添付図面を参照して本考案の実施形態について詳細に説明する。本考案のノートの一実施形態の構成を示す斜視図である。この図に示すように、本実施形態のノート１は、所定枚数の記録紙の束３（以下では、各葉の記録紙についても同じ符号３を使用する。）を表裏から表紙２及び裏表紙４を配置して綴じ込んだものである。
【００１１】
ノート１の外形形状は特に制限されず、従来公知の矩形、四角形、略円形、略楕円形などの形状の中から適宜選択できる。また、特徴のあるキャラクタのシルエットなどのような直線及び曲線を多用して得られる形状であってもよい。ノート１を矩形の外形形状に設定する場合、その仕上がり寸法は公知のＡ４版、Ａ５版、Ａ６版などのＡ列やＢ５版、Ｂ６版などのＢ列の規格から適宜設定できる。また、ノート１をその他の外形形状にする場合には、適宜のサイズに設定できる。表紙２、記録紙の束３及び裏表紙４は、上記で設定したサイズに合わせて裁断される。
【００１２】
表紙２、記録紙３及び裏表紙４の厚さ（坪量又は連量）についても、常識的な範囲内で適宜設定できる。記録紙の枚数は特に制限なく適宜設定でき、例えば１０枚、３０枚、５０枚、８０枚などに設定できる。
【００１３】
各葉の記録紙３は、その表面若しくは裏面、又はこれらの双方に罫線（図２の印刷例参照）、方眼その他の印刷が施されていてもよく、無地であってもよい。印刷を施すか無地かは、記録紙の各葉各頁について設定することもできる。
【００１４】
本実施形態のノートの綴じ方は特に限定されず、例えば、中綴じ、平綴じ、無線綴じ、糸綴じ又はあじろ綴じなどの公知の綴じ方の中から適宜選択して採用できる。
【００１５】
本考案においては、ノート１の表紙２又は裏表紙４の表面に広告宣伝を表示する区画５が設けられる。区画５は、上記表面の一部に設けてもよく、全面に設けてもよい。上記表面の一部に設ける場合、区画５は、当該面の任意の位置に設けることができる。図１に示す実施形態では、表面の一部の例として、区画５が表紙２の表面の下端寄りの小口側に設けられている。
【００１６】
前記広告宣伝としては、例えばイベントに関係する会社など、例えばそのイベントのスポンサー又はサポーターなどに係るものが挙げられる。具体的には、スポンサーなどの連絡先、会社案内、主力製品紹介などが挙げられる。さらに、イベントの性格などを考慮して、例えば主催者、共催者、提供者、協力者などの同様の広告宣伝を区画５に表示させてもよい。
【００１７】
区画５における広告宣伝は、従来公知の方法の中から適宜選択して直接的に表示し、又は間接的に表示できる。直接的に表示する方法の具体例としては、区画５に広告宣伝の内容を印刷する方法などが挙げられる。また、間接的に表示する方法の具体例としては、広告宣伝の内容を表面に印刷した印刷シールを貼布するなどの方法が挙げられる。
【００１８】
区画５を表紙２（又は裏表紙４）の一部に設ける場合、通常、図１に示すように、区画５以外の部分には、イベント関連の写真、線画など（図１、符号２１参照）を当該イベントのロゴとともに印刷しておく。このように区画５以外の部分にイベント関連の印刷を施すことで、本実施形態のノートの使用者は、このノートに接するたびにイベント開催の事実とスポンサーなどの広告宣伝を視覚的に認識することになる。
【００１９】
以上説明したように、本考案のノートは、その表紙又は裏表紙の表面に広告宣伝を直接的に又は間接的に表示する区画を設けることとしたので、イベント開催期間終了後においても、ノートの購入者はそれを使用するたびに、また使い終わり保管された後にも見返すなどするたびに、イベント開催の事実とともに、スポンサーなどの広告宣伝を視覚的に認識することになり、結果としてスポンサーなどの高い広告宣伝効果やイメージアップ効果を長期間にわたり維持することができる。
【符号の説明】
【００２０】
１  ノート
２  表紙
２１  線画
３  記録紙（の束）
３１  罫線
４  裏表紙
５  区画
【図２】
0003188455.tif 000003
【図１】
0003188455.tif 000004